(57)【要約】【課題】一連の読取動作中に、ユーザが任意にジョブ分割指定すると、そのジョブ分割の指定に応じて、ジョブ分割を行うことができる画像読取装置を提供する。【解決手段】  ネットワークに接続され、複数のネットワーク端末で共有されるファクシミリ装置１は、原稿の読取に基づいて読取画像データを生成する読取部４０と、原稿の任意のページに係る読取画像データに関してジョブ分割を指定する新規文書キーを表示する表示部７０と、タッチパネル６７を備える。一連の読取動作中に、新規文書キーが操作されると、ＭＰＵ１０は、そのキーの操作に応じてジョブの分割を行う。【選択図】        図１
2005303538.tif 000002
【特許請求の範囲】
【請求項１】
原稿画像を読み取って読取画像データを生成する画像読取装置において、
一連の読取動作開始前の第１ジョブ分割指定に基づいて、所定ページ毎にジョブ分割を行う第１ジョブ分割手段と、
一連の読取動作中に指定された第２ジョブ分割指定に基づいて、指定されたタイミングに応じたページでジョブ分割を行う第２ジョブ分割手段とを備えたことを特徴とする画像読取装置。
【請求項２】
原稿画像を読み取って読取画像データを生成する画像読取装置において、
一連の読取動作開始前の第１ジョブ分割指定に基づいて、原稿束毎にジョブ分割を行う第１ジョブ分割手段と、
一連の読取動作中に指定された第２ジョブ分割指定に基づいて、指定されたタイミング以後の新たな原稿束でジョブ分割を行う第２ジョブ分割手段とを備えたことを特徴とする画像読取装置。
【請求項３】
前記第１ジョブ分割指定があった場合、第２ジョブ分割指定を不能化する不能化手段を備えたことを特徴とする請求項１又は請求項２に記載の画像読取装置。
【請求項４】
第２ジョブ分割指定を行う第２ジョブ分割指定手段を備え、
前記不能化手段は、前記第２ジョブ分割指定手段を不能化することを特徴とする請求項３に記載の画像読取装置。
【請求項５】
前記第２ジョブ分割指定手段の操作を促す表示領域を備える表示手段を備え、
前記不能化手段は、前記表示手段による第２ジョブ分割指定手段の操作を促す表示を不能化することを特徴とする請求項４に記載の画像読取装置。
【請求項６】
前記第２ジョブ分割指定手段は、前記表示手段に設けられたタッチパネルであり、
前記不能化手段は、さらに、前記表示領域に対応するタッチパネルを不能化するものであることを特徴とする請求項５に記載の画像読取装置。
【発明の詳細な説明】
【技術分野】
【０００１】
本発明は、複写機、ファクシミリ及びスキャナーや、それらの複合機に設けられる画像読取装置に関する。
【背景技術】
【０００２】
従来から、画像データを入力する手段として用いられているスキャナ装置は、例えばネットワークに接続し、複数のネットワーク端末で共有できるようにされている。従来、ネットワークスキャンする場合、ネットワークに接続されたスキャナ装置では、自動原稿搬送装置（以下、「ＡＤＦ」という）に原稿を複数枚セットして、スキャンすると、読み取られた複数の原稿の読取画像データが１つのジョブとして登録される。又、前記スキャナ装置では、ページ単位で、ジョブの登録を分割する機能も搭載されている。
【０００３】
例えば、ＡＤＦにおいては、ジョブを分割する場合、複数枚セットされた原稿をスキャンする以前に、ページ単位の設定を行うようにしている。具体的には、ＡＤＦにおいて、片面読取の場合、複数原稿をスキャンする以前に、ページ単位のページ分割を指定するキーにて指定すると、原稿の表面が読取される毎に、１ページ毎に１ジョブとして登録され、原稿の枚数に応じてジョブを分割できるようになっている。又、ＡＤＦにおいて、両面読取の場合も、複数原稿をスキャンする以前に、シート分割を指定するキーにて設定すると、原稿（シート）単位毎に、すなわち、１枚の原稿の表裏面が読取される毎に１ジョブとして登録されるようになっており、原稿の枚数に応じてジョブを分割できるようになっている。
【０００４】
なお、特許文献１では、印刷ジョブに関して、ジョブの分割を行う技術が開示されている。
【特許文献１】特開２００２−９１７４８号公報
【発明の開示】
【発明が解決しようとする課題】
【０００５】
従来は、上記のように、ＡＤＦにおいて、複数原稿をスキャンする以前において、すなわち、一連の読取動作開始前にジョブの分割を指定して、ジョブ分割ができるようにしているが、一連の読取動作中に、ユーザが原稿の任意のページを指定して、ジョブを分割をすることはできなかった。
【０００６】
なお、特許文献１の技術においても、ユーザが原稿の任意のページを指定してジョブ分割することは開示されていない。
このように従来は、一連の読取動作開始前にジョブの分割を指定した場合には、ジョブの分割ができるが、原稿読取中や、原稿読取直後において、任意のタイミングでジョブ分割をしたい場合に、ジョブ分割ができるものは提案されていない。近年、ジョブ分割を任意に行いたいというユーザの要望があるが、このような要望に対応できていない問題がある。
【０００７】
本発明の目的は、一連の読取動作中に、ユーザが任意にジョブ分割指定すると、そのジョブ分割の指定に応じて、ジョブ分割を行うことができる画像読取装置を提供することにある。
【課題を解決するための手段】
【０００８】
上記問題点を解決するために、請求項１に記載の発明は、原稿画像を読み取って読取画像データを生成する画像読取装置において、一連の読取動作開始前の第１ジョブ分割指定に基づいて、所定ページ毎にジョブ分割を行う第１ジョブ分割手段と、一連の読取動作中に指定された第２ジョブ分割指定に基づいて、指定されたタイミングに応じたページでジョブ分割を行う第２ジョブ分割手段とを備えたことを特徴とする画像読取装置を要旨とするものである。
【０００９】
請求項２の発明は、原稿画像を読み取って読取画像データを生成する画像読取装置において、一連の読取動作開始前の第１ジョブ分割指定に基づいて、原稿束毎にジョブ分割を行う第１ジョブ分割手段と、一連の読取動作中に指定された第２ジョブ分割指定に基づいて、指定されたタイミング以後の新たな原稿束でジョブ分割を行う第２ジョブ分割手段とを備えたことを特徴とする画像読取装置を要旨とするものである。
【００１０】
請求項３の発明は、請求項１又は請求項２において、前記第１ジョブ分割指定があった場合、第２ジョブ分割指定を不能化する不能化手段を備えたことを特徴とする。
請求項４の発明は、請求項３において、第２ジョブ分割指定を行う第２ジョブ分割指定手段を備え、前記不能化手段は、前記第２ジョブ分割指定手段を不能化することを特徴とする。
【００１１】
請求項５の発明は、請求項４において、前記第２ジョブ分割指定手段の操作を促す表示領域を備える表示手段を備え、前記不能化手段は、前記表示手段による第２ジョブ分割指定手段の操作を促す表示を不能化することを特徴とする。
【００１２】
請求項６の発明は、請求項５において、前記第２ジョブ分割指定手段は、前記表示手段に設けられたタッチパネルであり、前記不能化手段は、さらに、前記表示領域に対応するタッチパネルを不能化するものであることを特徴とする。
【発明の効果】
【００１３】
請求項１及び請求項２の発明によれば、一連の読取動作中に、ユーザが任意にジョブ分割指定すると、そのジョブ分割の指定に応じて、ジョブ分割を行うことができる効果を奏する。
【００１４】
請求項３の発明によれば、第１ジョブ分割指定があった場合、不能化手段により、第２ジョブ分割指定が不能化されるため、第１ジョブ分割指定によるジョブ分割を優先できる効果を奏する。
【００１５】
請求項４の発明によれば、不能化手段により、第２ジョブ分割指定手段を不能化することにより、容易に請求項３の発明の効果を実現できる。
請求項５の発明によれば、表示手段による第２ジョブ分割指定手段の操作を促す表示を不能化することにより、ユーザに、無用な操作を促すことがない効果を奏する。
【００１６】
請求項６の発明によれば、不能化手段が、表示手段の表示領域に対応するタッチパネルを不能化することにより、表示手段に設けたタッチパネルに対するユーザの無用な操作を促すことがない効果を奏する。
【発明を実施するための最良の形態】
【００１７】
以下、本発明を、画像読取装置としてネットワークスキャンが可能なファクシミリ装置に具体化した一実施形態を、図１〜１２を参照して説明する。
図１に示すように、ファクシミリ装置１は、ＭＰＵ１０、ＲＯＭ２０、ＲＡＭ３０、クロック回路３５、読取部４０、記録部５０、操作部６０、表示部７０、画像メモリ８０、コーデック９０、モデム１００、ＮＣＵ１１０及びＬＡＮインターフェィス１２０から構成される。又、各部１０〜１２０はバス１３０を介してそれぞれ接続されている。
【００１８】
ＭＰＵ１０は、ファクシミリ装置１を構成する各部を制御する。ＲＯＭ２０は、ファクシミリ装置１を制御するためのプログラムを記憶する。ＲＡＭ３０は、ファクシミリ装置１に関する各種情報を記憶する。クロック回路３５は、現在日時を計時し、ＭＰＵ１０からの要求信号に応じて、現在日時の情報をＭＰＵ１０に出力する。
【００１９】
図１に示す読取部４０は、原稿上の画像データを読み取って、白黒２値のイメージデータを出力する。また、読取部４０は、ＡＤＦ４１（Auto  Document  Ｆeeder）を備えている。ＡＤＦ４１は、原稿台に載置された複数の原稿を１枚ずつ自動的に搬送して、読取部４０にて読み取らせる。本実施形態のＡＤＦ４１は、原稿の片面読取と、原稿の両面読取が可能な公知の構成を備えており、片面読取と両面読取は、後述する操作部６０の設定キー６６のモード選択により、いずれかの作動が設定可能である。本明細書では、ＡＤＦ読取の際に、「原稿束」は、１枚以上の原稿を含める趣旨で使用している。又、読取部４０は、原稿載置板（図示しない）上に載置された静止原稿を読み取るＦＢＳ４２（フラットベッドスキャナ）を備えている。読取部４０、ＡＤＦ４１、ＦＢＳ４２により原稿読取手段が構成されている。
【００２０】
そして、ＡＤＦ４１には、原稿が原稿台に載置されたことを検出するための原稿有無センサ４１ａが配設されている。この原稿有無センサ４１ａは、原稿の有無に応じて検出信号をＭＰＵ１０に出力する。一方、ＦＢＳ４２には、カバーの開閉状態を検出するためのカバー開閉センサ４２ａが配設されている。このカバー開閉センサ４２ａは、カバーの開閉状態に応じて検出信号をＭＰＵ１０に出力する。
【００２１】
記録部５０は、電子写真方式のプリンタよりなり、受信画像データや、コピー動作において読取部４０にて読み取られた原稿の読取画像データを、記録紙上に記録する。
操作部６０は、ＦＡＸモード又はコピーモードに設定するためのＦＡＸ／コピーキー６１、短縮番号の登録又は短縮番号から発信するための短縮キー６２、予め登録したＦＡＸ番号をワンタッチで指定するためのワンタッチキー６３を備えている。又、操作部６０は、電話番号又はコピー部数等を入力するためのテンキー（＊，＃キーを含む）６４、原稿の読み取り動作を開始させるためのスタートキー６５、設定キー６６、タッチパネル６７、英文字等を入力するための文字キー６８等の各種操作キーを備えている。
【００２２】
表示手段としての表示部７０は、ＬＣＤ等よりなり、ファクシミリ装置１の動作状態等の各種情報の表示を行う。表示部７０は、表示画面１４０（図３，図５（ａ），図５（ｂ），図６，図８〜１０参照）の複数の表示領域においてそれぞれキー画像を表示可能とされている。そして、表示部７０は、表面に公知のタッチパネル６７が設けられている。タッチパネル６７は、前記表示画面１４０上に重ねられて、表示画面１４０の各表示領域にキー画像を透視させるとともにユーザによるキーの押下操作を検出する検知領域を当該キー画像に対応して有している。表示されたキー画像に対応する検知領域が、キーの押下操作を検出すると、ＭＰＵ１０は、そのときに表示していたキー画像に対応するキー入力があったことを検知する。
【００２３】
又、設定キー６６のモード選択操作により、ＡＤＦ４１を使用した片面読取と両面読取のいずれかのモード選択が可能である。
画像メモリ８０は、ＤＲＡＭ等で構成され、受信画像データや読取部４０で読み取られた読取画像データを一時的に記憶する。コーデック９０は、読取部４０にて読み取られた読取画像データを送信のためにＭＨ，ＭＲ，ＭＭＲ方式等により符号化（エンコード）する。また、コーデック９０は、受信画像データを復号（デコード）する。
【００２４】
モデム１００は、ＩＴＵ−Ｔ勧告Ｔ．３０に従ったファクシミリ伝送制御手順に基づいて、Ｖ．１７，Ｖ．２７ｔｅｒ，Ｖ．２９等に従った送受信データの変調及び復調を行う。ＮＣＵ１１０は、電話回線Ｌ１との接続を制御するとともに、相手先の電話番号（ＦＡＸ番号を含む）に対応したダイヤル信号の送出及び着信を検出するための機能を備えている。ＬＡＮ  Ｉ／Ｆ（インターフェィス）１２０は、ＬＡＮ（ローカルエリアネットワーク）Ｌ２との接続用インターフェィスであり、ファクシミリ装置１は、このＬＡＮ  Ｉ／Ｆ１２０を介してＬＡＮ  Ｌ２経由で、電子メールの送受信等を行う。そして、ファクシミリ装置１は、ＬＡＮ  Ｉ／Ｆ１２０を介してＬＡＮ  Ｌ２経由で、図示しない複数のネットワーク端末と共有可能とされている。
【００２５】
本実施形態のＭＰＵ１０は、不能化手段、表示制御手段、第１ジョブ分割手段、第２ジョブ分割手段に相当する。
（実施形態の作用）
本実施形態の作用を図２〜１２を参照して説明する。
【００２６】
１．  ＦＢＳ４２を使用してジョブの分割を行う場合
図２は、ＦＢＳ４２を使用してジョブ登録する際、ＲＯＭ２０に記憶された表示制御プログラムに基づき、ＭＰＵ１０が実行する表示処理のフローチャートであり、ＦＡＸ／コピーキー６１にてＦＡＸモードに設定されたとき、実行される。
【００２７】
Ｓ３００では、図３に示すようにＭＰＵ１０は、表示部７０の表示画面１４０に対して、ノーマルキー１３２及びページ分割キー１３４を表示し、予めページ分割を設定するか、否かの決定をユーザに促す。Ｓ３１０では、キー操作を待ち、Ｓ３２０において、ページ分割キー１３４が操作されると、Ｓ３３０で、ＭＰＵ１０はジョブ分割指定（第１ジョブ分割指定）を行う。すなわち、ＭＰＵ１０は、ページ分割設定フラグをセットする。ノーマルキー１３２が操作されると、ＭＰＵ１０は、Ｓ３４０において、ノーマル設定（ページ分割設定フラグをリセットする）を行う。なお、ページ分割キー１３４を表示する表示画面１４０の表示領域と、該表示領域と対応するタッチパネル６７の検知領域が第１ジョブ分割指定手段に相当する。なお、以下では、説明の便宜上、ページ分割キー１３４を第１ジョブ分割指定手段として説明することがある。
【００２８】
図４は、ＦＢＳ４２を使用してジョブの登録を行うフローチャートである。なお、この動作は、ＦＡＸ／コピーキー６１にてＦＡＸモードに設定され、かつ、カバー開閉センサ４２ａのカバー閉の検出及びスタートキー６５の操作があったとき、ＲＯＭ２０に記憶されたプログラムに基づき、ＭＰＵ１０の制御により実行される。又、下記のスタートキー６５を操作する前に、操作部６０を用いて、ステータス、発信元印字、応答通信種別、相手先番号、通信モードの通信条件等を入力しているものとする。
【００２９】
（Ｓ１０）
スタートキー６５が操作されると、Ｓ１０において、ＦＢＳ４２のフラットベッドガラス（図示しない）に載置された静止原稿が読取部４０にて、読取が開始される。
【００３０】
（Ｓ２０）
Ｓ２０では、画像メモリ８０の１つのジョブ記憶領域がオープンされる。
（Ｓ３０）
Ｓ３０では、Ｓ２０でオープンされたジョブ記憶領域の中で、ページ記憶領域がオープンされる。すなわち、該領域に対して、読取部４０にて原稿が読み取りされて生成された読取画像データの記憶が開始される。
【００３１】
（Ｓ４０）
Ｓ４０では、１ページ分の原稿の読取終了が完了されたか否かが判定される。
（Ｓ５０）
１ページ分の読取が完了された場合は、Ｓ５０に移行して、ページ記憶領域のクローズ処理が行われ、Ｓ６０に移行する。
【００３２】
（Ｓ６０）
Ｓ６０では、ＭＰＵ１０は、ページ分割設定フラグがセットされているか否かを判定する。すなわち、第１ジョブ分割指定があるか否かを判定する。ページ分割設定フラグがセットされている場合は、「ＹＥＳ」と判定して、Ｓ９０に移行する。このようにページ分割設定フラグがセットされている場合、任意のページを指定したジョブ分割はできず、図３で示すページ分割キー１３４の操作を優先するのである。ページ分割設定フラグがリセットされている場合は、Ｓ７０に移行する。
【００３３】
（Ｓ７０）
Ｓ７０では、ＭＰＵ１０は、図５（a）に示すように表示画面１４０に「次の原稿をセットください」と「原稿セット後読取開始を押してください」の表示、及び読取開始キー２３０、新規文書キー２４０、読取完了キー２５０のキー画像の表示をする。
【００３４】
ユーザが、読取が終了された静止原稿を取り除き、新しい静止原稿をＦＢＳ４２のフラットベッドガラス（図示しない）に載置して、読取開始キー２３０を押下すると、ＭＰＵ１０は、引き続き、前のページと同じジョブとして、Ｓ３０に移行し、載置された静止原稿を読取部４０による読取を開始する。Ｓ７０において、ユーザーが新規文書キー２４０を押下すると、Ｓ８０に移行し、ユーザが読取完了キー２５０を押下した場合には、ＭＰＵ１０はＳ１００に移行する。
【００３５】
ここで、新規文書キー２４０を表示する表示画面１４０の表示領域と、該表示領域と対応するタッチパネル６７の検知領域が第２ジョブ分割指定手段に相当する。なお、以下では、説明の便宜上、新規文書キー２４０を第２ジョブ分割指定手段として説明することがある。
【００３６】
（Ｓ８０）
Ｓ８０では、ＭＰＵ１０は、新規文書キー２４０の操作に基づいて、前のページとは異なる新しいジョブであるとして、ジョブ記憶領域のクローズを行った後、Ｓ２０に移行する。すなわち、Ｓ２０では、画像メモリ８０の１つのジョブ記憶領域がオープンされる。そして、その後、新たに載置された静止原稿の読み取り開始が読取部４０にて行われる。
【００３７】
（Ｓ９０）
Ｓ９０では、仮にページ分割（原稿１ページ毎のジョブ分割）した場合に、ＭＰＵ１０は通信ジョブとして支障があるか否かを判定する。すなわち、ページ分割キー１３４による設定（指定）が有効か否かを判定する。これは、ページ分割設定フラグがセットはされてはいるが、このままページ分割した場合、他の設定条件から見て、支障がある場合には、ＭＰＵ１０はページ分割（ジョブ分割）することを有効とせず、Ｓ１２０に移行するのである。
【００３８】
他の設定条件とは、例えば、通信ジョブの場合、インターネットファックスと、電話ファックスとにて、同報通信を行うように設定されている場合等を想定している。上記の例では、仮にジョブ分割されると、電話ファックスする場合、そのジョブの数に応じて、電話料金が増大するため、このように設定された場合には、支障があるとして排除するようにしている。なお、この設定条件は、上記例に限定するものではない。
【００３９】
Ｓ９０では、仮にページ分割（原稿１ページ毎のジョブ分割）した場合に、ＭＰＵ１０は通信ジョブとして支障がないと判定した場合、Ｓ１００に移行する。
（Ｓ１００）
Ｓ１００では、図６に示すように、表示画面１４０に「次の原稿をセットください」と「原稿セット後読取開始を押してください」の表示、及び読取開始キー２３０、読取完了キー２５０のキー画像の表示をする。そして、ＭＰＵ１０は、いずれかのキーが操作されたか、否かを判定する。読取開始キー２３０が操作されると、ＭＰＵ１０は「ＮＯ」と判定し、Ｓ８０に移行する。又、読取完了キー２５０が操作されると、ＭＰＵ１０は、「ＹＥＳ」と判定し、Ｓ１１０に移行する。
【００４０】
（Ｓ１１０）
Ｓ１１０では、ジョブ記憶領域のクローズが行われ、読取が終了される。
（Ｓ１２０）
Ｓ１２０では、ＭＰＵ１０は、図６に示すように、表示画面１４０に「次の原稿をセットください」と「原稿セット後読取開始を押してください」の表示、及び読取開始キー２３０、読取完了キー２５０のキー画像の表示をする。そして、ＭＰＵ１０は、いずれかのキーが操作されたか、否かを判定する。読取開始キー２３０が操作されると、ＭＰＵ１０は「ＮＯ」と判定し、Ｓ３０に移行する。又、読取完了キー２５０が操作されると、ＭＰＵ１０は、「ＹＥＳ」と判定し、Ｓ１１０に移行する。
【００４１】
なお、ＦＢＳ読取りの場合、最初にユーザが読取開始指示のキー（スタートキー６５）を操作した後、原稿１枚毎に原稿セット及び中間読取開始指示が必要である。すなわち、ＦＢＳ読取りの場合、ユーザが読取終了指示のキー（読取完了キー２５０）を操作することなく、１ページの読取りが完了してから所定時間以内に次原稿のセット及び中間読取開始指示（読取開始キー２３０の操作）を行う限り、一連の読取動作が継続される。
【００４２】
なお、Ｓ１００，Ｓ１２０，Ｓ７０では、説明の便宜上、説明を省略したが、これらのステップにおいて、一連の読取動作は、ユーザが次の原稿をセットせずに、或いは、ユーザが次ページの中間読取開始指示のためのキー操作（読取開始キー２３０の操作）を行わずに、タイムアップすれば終了する。また、ユーザが読取終了指示（読取完了キー２５０）を操作した場合にも、一連の読取動作を終了することになる。
【００４３】
さて、上記のように構成された本実施形態のファクシミリ装置１は、下記の特徴がある。
（１）  本実施形態によれば、Ｓ７０において、第２ジョブ分割指定手段としての新規文書キー２４０を操作することにより、Ｓ８０において、ジョブ記憶領域のクローズ処理が行われ、Ｓ２０で、ジョブの記憶領域のオープン処理が行われるようにした。この結果、一連の読取動作中に新規文書キー２４０の操作により、ＦＢＳ読取の際に、原稿の任意のページを指定して、ジョブ分割を行うことができる。
【００４４】
（２）  本実施形態では、ページ分割キー１３４（図３参照）が操作された際、Ｓ９０において、この操作による指定（設定）が有効であると判定された際は、Ｓ１００で図６に示す読取開始キー２３０を操作すると、Ｓ８０に移行するようにした。この結果、読取開始前に指定した第１ジョブ分割指定により、ジョブ分割できる。
【００４５】
（３）  本実施形態では、ページ分割キー１３４（第１ジョブ分割指定手段）が操作されたときは、ＭＰＵ１０は、Ｓ１００にて、表示部７０（表示手段）の新規文書キー２４０を表示させないようし、新規文書キー２４０による任意のジョブ分割指定（第２ジョブ分割指定）を不能化した。この結果、新規文書キー２４０の無用な操作を促すことが無く、ページ分割キー１３４によるジョブ分割を優先して行うことができる。
【００４６】
（４）  本実施形態では、ページ分割キー１３４（第１ジョブ分割指定手段）が操作されたときは、ＭＰＵ１０は、そのジョブ分割の指定が有効か否かを判定するようにした。そして、ＭＰＵ１０は、ジョブ分割の指定が有効でないと判定したときは、表示部７０（表示手段）の新規文書キー２４０の表示をしないようにした。この結果、新規文書キー２４０の無用な操作を促すことがない効果を奏する。
【００４７】
２．  ＡＤＦ４１を使用してジョブ分割を行う場合
次に、ＡＤＦ４１を使用してジョブ分割を行う場合について、図５（ｂ），図７〜１２等を参照して説明する。
【００４８】
ファクシミリ装置１がＦＡＸの際に行われるジョブ分割の動作について、図７に示すフローチャートを用いて説明する。なお、この動作は、原稿有無センサ４１ａから検出信号の入力（原稿検出）があったとき、ＲＯＭ２０に記憶されたプログラムに基づき、ＭＰＵ１０の制御により実行される。又、下記のスタートキー６５を操作する前に、操作部６０を用いて、ステータス、発信元印字、応答通信種別、相手先番号、通信モードの通信条件等を入力しているものとする。
【００４９】
（Ｓ５１０）
スタートキー６５が操作されると、Ｓ５１０において、ＡＤＦ４１により原稿が搬送され読取部４０にて、読取が開始される。
【００５０】
（Ｓ５２０）
Ｓ５２０では、画像メモリ８０の１つのジョブ記憶領域がオープンされる。
（Ｓ５３０）
Ｓ５３０では、Ｓ５２０でオープンされたジョブ記憶領域の中で、ページ記憶領域がオープンされる。すなわち、該領域に対して、読取部４０にて原稿が読み取りされて生成された読取画像データの記憶が開始される。
【００５１】
（Ｓ５４０）
Ｓ５４０では、１ページ分の原稿の読取終了が完了されたか否かが判定される。この判定は、ＡＤＦ４１に設けられた公知の原稿後端検出センサ（図示しない）の検出に基づいて行われる。
【００５２】
（Ｓ５５０）
１ページ分の読取が完了された場合は、Ｓ５５０に移行して、ページ記憶領域のクローズ処理が行われ、Ｓ５６０に移行する。
【００５３】
（Ｓ５６０）
次のＳ５６０では、ＭＰＵ１０は、次ページの有無の判定を行う。
次ページの有無の判定は、下記の条件を満足しているか否かによって行われる。
【００５４】
（１．  片面読取モード）
片面読取モードの場合には、Ｓ５６０では、原稿有無センサ４１ａの原稿検出がある場合、或いは、原稿有無センサ４１ａの原稿検出がなく、かつ、次ページフラグがセットされている場合には、「次ページ有り」と判定され、そうでない場合には、「次ページなし」と判定される。次ページフラグの設定については後述する。
【００５５】
（２．  両面読取モード）
両面読取モードの場合には、下記の（１）〜（３）により、次ページの有無の判定が行われる。
【００５６】
（１）裏フラグがセットされているときは、「次ページ有り」と判定される。
裏フラグは、両面読取モードにおいて使用されるフラグである。両面読取モードの場合、裏フラグは、Ｓ５５０において、ページ記憶領域のクローズ処理と併せて裏フラグの反転処理が行われる。すなわち、Ｓ５５０の処理前において、裏フラグがセットされていたときは、Ｓ５５０では、リセットされる。又、Ｓ５５０の処理前において、裏フラグがリセットされていたときには、Ｓ５５０においてセットされる。なお、最初の原稿の表面の読取時には、Ｓ５５０の処理に入る前は、裏フラグがリセットされた状態とされており、Ｓ５５０で裏フラグがセットされるようにされている。このようにすることにより、Ｓ５４０において、原稿の表面の読取が終了された場合、両面読取モードではさらにこの原稿の裏面の読取の必要があることから、裏フラグがセットされるのである。
【００５７】
（２）  裏フラグがリセットされ、かつ、原稿有無センサ４１ａの原稿検出がされているとき、「次ページ有り」と判定される。
この場合、裏フラグがリセットされていることは、現在は裏面の読取が終了したことを意味し、かつ、原稿有無センサ４１ａの原稿検出がされていることは、原稿束が原稿台にセットされていることを意味しているため、「次ページ有り」と判定されるのである。
【００５８】
（３）  裏フラグがリセットされ、原稿有無センサ４１ａの原稿検出がなく、かつ、次ページフラグがセットされているときは、「次ページ有り」と判定される。
この場合、裏フラグがリセットされていることは、現在は裏面の読取が終了したことを意味し、かつ、原稿有無センサ４１ａの原稿検出がされていないことは、原稿が原稿台にセットされていないことを意味している。しかし、原稿は原稿台にはセットされていないが、次ページフラグがセットされているため、ユーザにより、次原稿をセットする用意があることを意味している。
【００５９】
上記（１）〜（３）以外の場合は、「次ページなし」と判定される。
なお、ＭＰＵ１０は、原稿有無センサ４１ａの原稿検出無し状態が所定時間継続(タイムアップ)すると、読取終了と判断する。ここで、ＭＰＵ１０が読取終了と判断すると、
後述するＳ５９０〜Ｓ６１０を無条件に通過し、Ｓ６２０を経て一連の読取動作は終了となる。一方、ＭＰＵ１０は、一時的に原稿有無センサ４１ａが原稿無しを検出しても、所定時間以内に原稿ありを検出すると(続きの新たな原稿束がセットされると)、「次ページ有り」と判断する。この場合、ユーザによる中間読取開始指示操作（例えば、読取開始キーによる操作）に基づいて、セットされた原稿について、それまでと同じ一連の読取動作として読取を継続する。
【００６０】
（Ｓ５７０）
Ｓ５６０において、「次ページ有り」と判定された場合、Ｓ５７０では、ジョブ分割指定がされているか否かが判定される。このジョブ分割指定については、後述する。
【００６１】
ジョブ分割指定がされていない場合には、Ｓ５３０に戻る。すなわち、Ｓ５６０から、Ｓ５７０を介してＳ５３０に戻る場合は、以後、読み取られた読取画像データに関しては、前と同じジョブとして処理されることを意味する。一方、Ｓ５７０において、ジョブ分割指定がされていると判定された場合には、Ｓ５８０に移行する。
【００６２】
（Ｓ５８０）
Ｓ５８０では、ジョブのクローズ処理が行われ、Ｓ５２０に戻る。この場合、ジョブが分割されていると判定されているため、Ｓ５６０から、Ｓ５７０，Ｓ５８０を介してＳ５２０に戻る場合は、以後読み取られた読取画像データに関しては、新たなジョブとして処理されることを意味する。
【００６３】
（ジョブ分割指定）
ここで、ジョブ分割指定について説明する。ジョブ分割指定の設定は、下記のように行われている。
【００６４】
（１）  片面読取のモードの場合
片面読取のモード設定は、図７で説明したスタートキー６５にて操作される前に、設定キー６６のモード選択のための押下により行われる。設定キー６６の操作により、図８に示すように表示部７０の表示画面１４０に、ノーマルキー１５０と、ページ分割キー１６０のキー画像の表示がＭＰＵ１０の制御により行われる。そして、いずれかのキーの押下により、片面読取モードにおける「ノーマル」又は「ページ分割」が指定される。そして、ジョブ分割は、片面読取モードにおいては、「ページ分割」において行われる。すなわち、片面読取モードにおいてジョブ分割指定（第１ジョブ分割指定）は、ページ分割キー１６０が押下されることにより、指定される。この指定に基づいて、Ｓ５７０においては、「ＹＥＳ」と判定される。なお、ノーマルキー１５０が操作された場合には、Ｓ５７０においては、「ＮＯ」と判定される。ここで、ページ分割は、原稿の表面の１ページ分を１つのジョブ単位とする分割である。
【００６５】
片面読取モードにおけるページ分割の場合、１ページ毎にジョブ分割することとなるが、この１ページ毎が「所定ページ毎」に相当する。なお、本実施形態では、「所定ページ毎」とは、１ページ毎としているが、この数に限定されるものではない。
【００６６】
（２）  両面読取モードの場合
両面読取のモード設定は、図７で説明したスタートキー６５にて操作される前に、設定キー６６のモード選択のための押下により行われる。設定キー６６の操作により、図９に示すように表示画面１４０に、ノーマルキー１８０と、ページ分割キー１９０、及びシート分割キー２００のキー画像の表示がＭＰＵ１０の制御により行われる。そして、いずれかのキーの押下により、両面読取モードにおける「ノーマル」、「ページ分割」又は「シート分割」が指定される。そして、ジョブ分割は、両面読取モードにおいては、「ページ分割」及び「シート分割」において行われる。すなわち、両面読取モードにおいてジョブ分割指定（第１ジョブ分割指定）は、ページ分割キー１９０又はシート分割キー２００が押下されることにより、指定される。シート分割とは、原稿の表面及び裏面の２ページ分を１つのジョブ単位とする分割である。
【００６７】
両面読取モードにおけるページ分割の場合、１ページ毎又はシート毎（原稿の表裏併せて２ページ毎）にジョブ分割することとなるが、この１ページ毎又は、シート毎が「所定ページ毎」に相当する。なお、本実施形態では、両面読取のモードにおけるページ分割の場合、「所定ページ毎」とは、１ページ毎又は２ページ毎としているが、この数に限定されるものではない。又、ページ分割キー１９０，シート分割キー２００に対する操作は、一連の読取動作開始前にジョブ分割指定を行うことに相当する。
【００６８】
（３）  任意ジョブ分割（任意のジョブ分割）の場合
任意ジョブ分割は、片面読取モード及び両面読取モードのいずれであっても、ＡＤＦ４１及び読取部４０にて原稿読取が行われている際、下記の操作をユーザが行った場合に指定される。
【００６９】
図１０は、原稿がＡＤＦ４１を使用して読取部４０にて読み取られている際の表示画面１４０を示している。表示画面１４０中には、「読取中」の表示と、［あり］キー２１０及び［なし］キー２２０のキー画像の表示がＭＰＵ１０の制御により行われる。両キーは、原稿台にセットされている原稿以外に次原稿が有るか否かを指定する場合に操作される。このような表示がされている際、［あり］キー２１０が押下されると、この押下に基づいてＭＰＵ１０は、［あり］キー２１０が操作されたことを示す次ページフラグをセットする割り込み処理を行う。
【００７０】
又、［なし］キー２２０が押下されると、この押下に基づいてＭＰＵ１０は、［なし］キー２２０が操作されたことを示すために次ページフラグをリセットする割り込み処理を行う。そして、この次ページフラグは前述したようにＳ５６０の次ページの有無の判定に使用される。
【００７１】
そして、片面読取モード、及び両面読取モードにおいて、それぞれ次ページフラグがセットされて（Ｓ５６０の説明参照）、Ｓ５６０からＳ５７０に移行した場合には、Ｓ５７０では、ＭＰＵ１０の制御により、図５（ｂ）に示す表示が行われる。すなわち、ＭＰＵ１０は、図５（ｂ）に示すように表示画面１４０に「次の原稿をセットください」と「原稿セット後読取開始を押してください」の表示、及び読取開始キー２３０、第２ジョブ分割指定手段としての新規文書キー２４０のキー画像の表示の割り込み処理が行われる。
【００７２】
ここで、読取開始キー２３０が押下されると、引き続き、前のページと同じジョブとして、前記表示の割り込み処理が終了されてＳ５３０に移行され、読取が開始される。
一方、新規文書キー２４０が押下されると、前のページとは異なる新しいジョブであるとして、前記表示の割り込み処理が終了されてＳ５８０に移行された後、新たにセットされた原稿の読取が開始される。この新規文書キー２４０の押下が、任意のジョブ分割指定となる。
【００７３】
（Ｓ５９０〜Ｓ６３０）
Ｓ５９０〜Ｓ６３０は、図４のＳ６０〜Ｓ１２０とそれぞれ同様の処理を行うステップであり、説明の便宜上、図４のＳ６０〜Ｓ１２０の各ステップ番号に「５１０」を加算している。詳細な説明は、対応するＳ６０〜Ｓ１２０を参照されたい。
【００７４】
次に、ジョブ数のカウントの例を図１１、及び図１２を参照して説明する。
図１１及び図１２では、片面読取モードでノーマルキー１５０、ページ分割キー１６０が押下された場合、及び両面読取モードでノーマルキー１８０、ページ分割キー１９０、シート分割キー２００が押下された場合の「Ｔｏｔａｌ」、「Ｊｏｂ」、「Ｐａｇｅ」、「シート」、「表裏」を示している。
【００７５】
片面読取モードの例では原稿を３０枚とし、両面読取モードでは、原稿を１５枚としている。片面読取モードの「Ｔｏｔａｌ」の欄は、原稿３０枚を順にカウントした場合に付される番号である。又、両面読取モードの「Ｔｏｔａｌ」の欄は、原稿の表裏をそれぞれ１つとして１５枚の原稿を順にカウントした場合に付される番号である。「Ｊｏｂ」の欄は、読み取られた原稿の当該ページが、どのジョブに属するかを示したジョブ番号である。図１１の「Ｊｏｂ」の欄において、例えば「Ｎ（＝１〜３０）」は、Ｎ番目のジョブであることを示し、「Ｎ」が記載された原稿の該当ページは、Ｎ番目のジョブに属していることを意味している。「Ｐａｇｅ」の欄は、読み取られた原稿の当該ページが、属するジョブにおいては、何ページ目となるかを示している。
【００７６】
両面読取モードにおいて、「シート」の欄は、１つの原稿を単位として付されるシート番号である。従って、共通の原稿の表裏面にそれぞれ同じシート番号が付されている。
「表裏」の欄は、原稿の表を「０」とし、裏を「１」としたものである。本実施形態では、前述した裏フラグと対応している。すなわち、裏フラグが「１」の場合をセットといい、「０」の場合をリセットとしている。
【００７７】
（片面読取モードの「ノーマル」）
図１１の片面読取モードの「ノーマル」の例では、図７のフローチャートにおいて、Ｓ５１０〜Ｓ５６０→Ｓ５７０→Ｓ５３０の処理が行われるが、この場合、Ｓ５３０〜Ｓ５６０→Ｓ５７０→Ｓ５３０の処理が各原稿の片面を読み取る毎に行われ、最終的にＳ５６０，Ｓ５９０，Ｓ６００，Ｓ６１０，Ｓ６２０を経て、終了される。この場合には、３０枚の原稿を読み取りした場合のジョブ数は、１となる。
【００７８】
（片面読取モードの「ページ分割」）
図１１の片面読取モードの「ページ分割」の例では、図７のフローチャートにおいて、Ｓ５１０〜Ｓ５６０，Ｓ６００〜Ｓ６２０の処理が１枚の原稿の片面を読み取る毎に行われる。従って、この場合には、ジョブ数は、原稿の枚数分となり、３０となる。
【００７９】
（両面読取モードの「ノーマル」）
図１１の両面読取モードの「ノーマル」の例では、図７のフローチャートにおいて、Ｓ５１０、Ｓ５２０の後、各原稿毎にＳ５３０〜Ｓ５６０→Ｓ５７０→Ｓ５３０〜Ｓ５６０の処理が行われる。そして、最終的にＳ５６０，Ｓ５９０，Ｓ６００，Ｓ６１０，Ｓ６２０を経て、終了される。そして、１５枚の原稿を読み取りした場合のジョブ数は、１となる。
【００８０】
（両面読取モードの「ページ分割」）
図１１の両面読取モードの「ページ分割」の例では、図７のフローチャートにおいて、１枚の原稿毎にその表面の読取の際には、Ｓ５１０〜Ｓ５８０の順にて処理が行われる。そして、この後の１枚の原稿の裏面の読取の際には、Ｓ５２０〜Ｓ５６０，Ｓ５９０，Ｓ６００，Ｓ６１０，Ｓ６２０の順にて処理が行われる。この場合は、１原稿当たり２のジョブ数となり、１５枚の原稿ではジョブ数が３０となる。
【００８１】
（両面読取モードの「シート分割」）
図１１の両面読取モードの「シート分割」の例では、図７のフローチャートにおいて、１枚の原稿はその表面の読取の際には、Ｓ５１０〜Ｓ５６０，Ｓ５７０にて処理される。そして、この後のその原稿の裏面の読取の際には、Ｓ５３０〜Ｓ５６０，Ｓ５９０，Ｓ６００，Ｓ６１０，Ｓ６２０の順にて処理される。この場合は、１原稿当たり１のジョブ数となり、１５枚の原稿ではジョブ数が１５となる。
【００８２】
（片面読取モードのノーマルにおける任意のジョブ分割）
図１２の片面読取モードの「ノーマル」の例においては、ノーマルの「Ｔｏｔａｌ」の欄において、「６」、「１１」、「１３」で上記「（３）  任意ジョブ分割（任意のジョブ分割）の場合」で説明したように、次ページフラグをセットする操作が行われると、任意ページのジョブ分割が行われる。この例では、ジョブ数は、４である。
【００８３】
（両面読取モードのノーマルにおける任意分割）
図１２の両面読取モードの「ノーマル」の例においては、ノーマルの「Ｔｏｔａｌ」の欄において、「７」で上記「（３）  任意ジョブ分割（任意のジョブ分割）の場合」で説明したように、次ページフラグをセットする操作が行われると、任意の原稿（シート）から分割が行われる。この例では、ジョブ数は２である。
【００８４】
なお、図１２において、片面読取モードの「ページ分割」、両面読取モードの「ページ分割」、「シート分割」は、図１１の例と同様である。
さて、上記のように構成されたファクシミリ装置１は、下記の特徴がある。
【００８５】
（１）  本実施形態のＡＤＦ４１では、Ｓ５６０で原稿有無センサ４１ａの原稿検出が有りとされ、Ｓ５７０において、第２ジョブ分割指定手段としての新規文書キー２４０を操作することにより、Ｓ５８０でジョブ記憶領域のクローズ処理が行われ、Ｓ５２０で、ジョブの記憶領域のオープン処理が行われる。この結果、新規文書キー２４０の操作により、現在、原稿台に乗っている原稿束中における任意の原稿のページを指定して、ジョブ分割を行うことができる。
【００８６】
（２）  本実施形態のＡＤＦ４１では、片面及び両面読取モードにおいてＳ５６０で原稿有無センサ４１ａの原稿検出が無しとされ、Ｓ５７０で第２ジョブ分割指定手段としての新規文書キー２４０が操作されると、Ｓ５８０において、ジョブ記憶領域のクローズ処理が行われ、Ｓ５２０で、ジョブの記憶領域のオープン処理が行われる。
【００８７】
この結果、新規文書キー２４０の操作により、新規文書キー２４０の操作に基づいて、指定されたタイミング以後の新たな原稿束（次原稿束）を指定して、ジョブ分割を行うことができる。
【００８８】
（３）  本実施形態によれば、ページ分割キー１３４（図３参照）が操作された際、Ｓ６００において、この操作による指定（設定）が有効であると判定された際は、Ｓ６１０で図６に示す読取開始キー２３０を操作すると、Ｓ５８０に移行するようにした。この結果、読取開始前に指定した第１ジョブ分割指定により、ジョブ分割できる。
【００８９】
（４）  本実施形態では、ページ分割キー１３４（第１ジョブ分割指定手段）が操作されたときは、ＭＰＵ１０は、Ｓ６１０で、表示部７０（表示手段）の新規文書キー２４０を表示させないようし、新規文書キー２４０による任意のジョブ分割指定（第２ジョブ分割指定）を不能化した。この結果、新規文書キー２４０の無用な操作を促すことが無く、ページ分割キー１３４によるジョブ分割を優先して行うことができる。
【００９０】
（５）  本実施形態では、ページ分割キー１３４（第１ジョブ分割指定手段）が操作されたときは、ＭＰＵ１０は、Ｓ６００において、そのジョブ分割の指定が有効か否かを判定するようにした。そして、ＭＰＵ１０は、ジョブ分割の指定が有効でないと判定したときは、表示部７０（表示手段）の新規文書キー２４０の表示をしないようにした。この結果、新規文書キー２４０の無用な操作を促すことがない効果を奏する。
【００９１】
なお、本発明の実施形態は以下のように変更してもよい。
（１）  前記実施形態では、通信ジョブにおいて、原稿の任意のページ、或いは任意の原稿束を指定してジョブ分割を行うようにしたが、通信ジョブにおける任意のジョブ分割に限定するものではなく、他のジョブにおいても適用できることは勿論のことである。
【００９２】
（２）  タッチパネル６７の代わりに、表示部７０の「新規文書」の表示領域の近傍の操作部６０にキーを設けてもよい。この場合、「新規文書」の表示がある場合には、そのキーのオン操作に基づき、ＭＰＵ１０は、第２ジョブ分割指定の入力があったものとして検出する。又、表示部７０の「新規文書」の表示領域において、「新規文書」の表示がない場合には、前記キーのオン操作によっては、ＭＰＵ１０は第２ジョブ分割指定の入力があったものとは見なさないようにし、新規文書キー２４０を不能化する。
【００９３】
又、表示部７０の「新規文書」の表示領域において、新規文書の表示をしない代わりに、新規文書キー２４０の使用が有効ではないことを示すように、該表示領域を色変え表示したりしてもよい。この場合においても、仮に該表示領域に対応するタッチパネル６７の検知領域を操作されても、ＭＰＵ１０は第２ジョブ分割指定の入力があったものとは見なさないようにし、新規文書キー２４０を不能化する。
【００９４】
（３）  実施形態では、Ｓ１００において、表示部７０の表示画面１４０に新規文書キー２４０を表示しないようにしたが、表示するようにしてもよい、この場合、新規文書キー２４０を操作に基づいて、タッチパネル６７からの信号を入力してもその信号を、ＭＰＵ１０は、無効化することにより、新規文書キー２４０を不能化するようにする。
【図面の簡単な説明】
【００９５】
【図１】本発明を具体化した実施形態のファクシミリ装置の電気ブロック図。
【図２】同じくＭＰＵ１０が実行するフローチャート。
【図３】表示画面１４０の説明図。
【図４】ＭＰＵ１０が実行するフローチャート。
【図５】（ａ）、（ｂ）は表示画面１４０の説明図。
【図６】表示画面１４０の説明図。
【図７】ＭＰＵ１０が実行するジョブ分割のフローチャート。
【図８】片面読取モードに設定したときの表示画面１４０の説明図。
【図９】両面読取モードに設定したときの表示画面１４０の説明図。
【図１０】原稿読取中の表示画面１４０の説明図。
【図１１】片面読取、及び両面読取の場合のジョブ分割の説明図。
【図１２】任意分割の場合の片面読取、及び両面読取の場合のジョブ分割の説明図。
【符号の説明】
【００９６】
１…ファクシミリ装置（画像読取装置）
１０…ＭＰＵ（不能化手段、表示制御手段、第１ジョブ分割手段、第２ジョブ分割手段）
４０…読取部（ＡＤＦ４１，ＦＢＳ４２とともに原稿読取手段を構成する）
４１…ＡＤＦ
４２…ＦＢＳ
６７…タッチパネル
７０…表示部（表示手段）
１３４…ページ分割キー（第１ジョブ分割指定手段）
２４０…新規文書指定キー（第２ジョブ分割指定手段）
【図１】
2005303538.tif 000003
【図２】
2005303538.tif 000004
【図３】
2005303538.tif 000005
【図４】
2005303538.tif 000006
【図５】
2005303538.tif 000007
【図６】
2005303538.tif 000008
【図７】
2005303538.tif 000009
【図８】
2005303538.tif 000010
【図９】
2005303538.tif 000011
【図１０】
2005303538.tif 000012
【図１１】
2005303538.tif 000013
【図１２】
2005303538.tif 000014